(57)【要約】【課題】  上下方向とブロック配列方向の位置調整を可能にする。【解決手段】  水平材１３と垂直材１４と斜材１５，１６により側面略三角形状のトラス構造のビーム本体１２を形成する。既設橋桁ブロック１上に上下方向位置調整用ジャッキ１８と橋軸方向位置調整用ジャッキ２０を設け、架設対象橋桁ブロック２上に、水平面部１７ａと垂直面部１７ｂを備えた架台１７を設ける。ビーム本体１２の水平材１３の両端部１３ａ，１３ｂを、上下方向位置調整用ジャッキ１８と、架台１７の水平面部１７ａに載置した状態で、ビーム本体１２の頂部と、架設対象橋桁ブロック２とを、ＰＣ鋼棒２１を介して連結する。上下方向位置調整用ジャッキ１８の伸縮作動によりビーム本体１２と共に架設対象橋桁ブロック２の上下方向の位置調整を行わせ、橋軸方向位置調整用ジャッ２０の伸長作動によりビーム本体１２を介して架設対象橋桁ブロック２の橋軸方向の位置調整を行わせる。【選択図】図１
2010095898.tif 000002
【特許請求の範囲】
【請求項１】
連結する２つのブロックのうちの一方のブロックの上面における所要個所に、水平面部を備えた架台を設け、且つ上記２つのブロックのうちの他方のブロックの上面におけるジョイント部側端縁部に、上下方向位置調整用ジャッキを備えたジャッキ架台を設け、上記各ブロック配列方向に所要寸法延びる水平材と該水平材の長手方向両端部より長手方向中間部側へ斜め上向きに延びる２つの斜材を備えたトラス構造としてなるビーム本体を、上記２つのブロック間のジョイント部の上方を跨ぐように配置して、該ビーム本体の水平材の長手方向両端部を、上記架台の水平面部と、上記上下方向位置調整用ジャッキにそれぞれ載置し、更に、上記ビーム本体の頂部付近の所要個所と、上記一方のブロックとを、吊り部材を介して上下方向より拘束してなる構成を有することを特徴とするトラス型セッティングビーム。
【請求項２】
一方のブロックに設けた架台の水平面部よりも反ジョイント部側端部に垂直面部を設け、他方のブロックに設けたジャッキ架台における上下方向位置調整用ジャッキよりも反ジョイント部側に橋軸方向位置調整用ジャッキを設けて、上記架台の水平面部と上記上下方向位置調整用ジャッキにそれぞれ載置するビーム本体の水平材の長手方向両端部を、上記架台の垂直面部と上記ブロック配列方向位置調整用ジャッキに係合させるようにした請求項１記載のトラス型セッティングビーム。
【請求項３】
他方のブロックに設けたジャッキ架台における上下方向位置調整用ジャッキよりも反ジョイント部側に、ブロック配列方向に沿って引張荷重を作用させる機構を設けて、架台の水平面部に載置したビーム本体の水平材の長手方向一端部を該架台に連結すると共に、上記上下方向位置調整用ジャッキに載置した上記ビーム本体の水平材の長手方向他端部を、上記ブロック配列方向に沿って引張荷重を作用させる機構に連結するようにした請求項１記載のトラス型セッティングビーム。
【請求項４】
ビーム本体の頂部付近の所要個所と、一方のブロックとを上下方向より拘束する吊り部材として、ＰＣ鋼棒を用いるようにした請求項１、２又は３記載のトラス型セッティングビーム。
【発明の詳細な説明】
【技術分野】
【０００１】
本発明は、橋梁等の構造物をブロック一括架設工法を実施する際に既設ブロックと、架設対象ブロックとのジョイント部に臨む端部同士の位置合わせに用いるセッティングビームにおけるビーム本体をトラス構造としてなるトラス型セッティングビームに関するものである。
【背景技術】
【０００２】
橋梁の架設を行う工法の１つとして、ブロック一括架設工法（大ブロック架設工法）が知られている。これは、工場で組み立てられた複数の橋桁ブロック（橋梁桁要素）を、橋梁建設現場に移送し、フローティングクレーン等のクレーンで吊り上げて、既設ブロックとしての橋脚等に設置されている既設の橋桁ブロック（既存桁）に、架設対象ブロックとなる別の橋桁ブロックを順次繋いで結合することで、一体物となる橋桁を組み立てる建設工法である。
【０００３】
この種のブロック一括架設工法を実施する場合、既設の橋桁ブロックの端部に、架設対象となる橋桁ブロックの端部を結合するためには、該各ブロック間のジョイント部にて、上記既設橋桁ブロックの端部と、架設対象橋桁ブロックの端部の相対位置や角度を調整する必要があり、かかる調整を行うために、通常は、セッティングビームを用いて上記既設橋桁ブロックと架設対象橋桁ブロックのジョイント部に臨む端部同士を仮結合するようにしている（たとえば、特許文献１参照）。
【０００４】
図５は、従来用いられているセッティングビームの一例の概要を示すもので、架設対象橋桁ブロック２の上面における既設橋桁ブロック１とのジョイント部３側端部寄りの所要個所に、橋幅方向に貫通するピン孔４ａを備えた複数のブラケット４が、橋幅方向に所要間隔で設けてある。
【０００５】
上記各ブラケット４の上方には、仮連結桁とするためにＩ形断面、又は、大荷重が作用する場合は箱桁様の箱形断面形状として、橋軸方向に沿って所要寸法延びる構成としてあるビーム本体５を、その長手方向中間部の重心位置よりも所要寸法長手方向一端部５ａ寄りの部分が上記各ブラケット４の上方に位置し、且つ該各ビーム本体５の長手方向一端部５ａが上記架設対象橋桁ブロック２におけるジョイント部３側端部よりも外側へ所要寸法張り出すように個別に配置して、該各ビーム本体５の下面側所要個所に設けたブラケット６のピン孔６ａと、上記架設対象橋桁ブロック２上のブラケット４のピン孔４ａに、反力ピン７を挿通させることで、上記架設対象橋桁ブロック２の上側に、上記各ビーム本体５が上記各ブラケット４，６と反力ピン７を介してそれぞれ連結してある。
【０００６】
更に、上記架設対象橋桁ブロック２の上面における上記各ビーム本体５の長手方向他端部５ｂ寄りの所要個所の下方となる位置に、上記反力ピン７を介して連結した状態の上記ブラケット４の下端部からブラケット６の上端部までの上下方向寸法と対応する高さ寸法を有する架台部材８をそれぞれ設けて、上記架設対象橋桁ブロック２に上記各ブラケット４，６及び反力ピン７を介して連結してある上記ビーム本体５の長手方向他端部５ｂ寄りの所要個所を、上記架台部材８の上側に受ける構成としてある。
【０００７】
一方、上記既設橋桁ブロック１の架設対象橋桁ブロック２とのジョイント部３側の端部寄り個所の上面における上記架設対象橋桁ブロック２に設けた各ビーム本体５と個別に対応する橋幅方向所要間隔の複数個所には、上下方向に作動するジャッキ９がジャッキ架台１０を介してそれぞれ設置してある。
【０００８】
以上のようにして予め上記既設橋桁ブロック１に各ジャッキ９を設け、且つ上記架設対象橋桁ブロック２に各ビーム本体５を連結した構成とした後は、上記架設対象橋桁ブロック２を、図示しないクレーンで吊り上げて、該架設対象橋桁ブロック２のジョイント部３側端部を、上記既設橋桁ブロック１のジョイント部３側端部に突合せるように近接配置すると共に、該既設橋桁ブロック１のジョイント部３側端部寄り個所に橋幅方向所要間隔で複数設けてある各ジャッキ９の上側に、上記架設対象橋桁ブロック２に連結した各ビーム本体５にて該架設対象橋桁ブロック２のジョイント部３側端部よりも張り出させてある長手方向一端部を、それぞれ載置させることでセッティングビームを構成してある。
【０００９】
以上の構成としてあるセッティングビームによれば、上記架設対象橋桁ブロック２の荷重の一部を、各ブラケット４より対応する反力ピン７、ブラケット６及びビーム本体５を介して上記既設橋桁ブロック１の所要個所の上面に設けてある各ジャッキ９へ伝えて受けさせるようにした状態にて、上記各ジャッキ９を伸長作動させることにより、該各ジャッキ９に長手方向一端部５ａが載置してある上記各ビーム本体５と一緒に、上記架設対象橋桁ブロック２におけるジョイント部３側端部を押し上げることができるようにしてある。一方、上記各ジャッキ９を収縮作動させることで、上記各ビーム本体５と一緒に、上記架設対象橋桁ブロック２のジョイント部３側端縁部を自重により下方へ変位させることができるようにしてある。よって、上記各ジャッキ９の伸縮作動に応じて、上記既設橋桁ブロック１のジョイント部３側端部に対する上記架設対象橋桁ブロック２のジョイント部３側端部の上下方向の相対位置を調整できるようにしてある。したがって、上記各ジャッキ９の伸縮作動により、上記各橋桁ブロック１と２のジョイント部３側端部同士を所定の配置に調整した状態で、既設橋桁ブロック１と架設対象橋桁ブロック２のジョイント部３に臨む端部同士を、図５に二点鎖線で示す如く、高力ボルト接合する添接板１１を介して連結することで一体物とすることができるようにしてある。
【００１０】
【特許文献１】特開２００４−１００３８２号公報
【発明の開示】
【発明が解決しようとする課題】
【００１１】
ところが、図５に示した如きセッティングビームでは、既設橋桁ブロック１側に設けた各ジャッキ９の伸縮作動により各ビーム本体５を介して架設対象橋桁ブロック２の上下方向の相対位置を調整する際、仮連結桁となっている上記各ビーム本体５には、架設対象橋桁ブロック２の荷重の一部が該各ビーム本体５の長手方向（軸線の方向）と直角方向に、すなわち、曲げ応力として作用するため、剛性確保上、部材断面を大きくする必要があり、そのために、上記各ビーム本体５が大重量となってしまい、該各ビーム本体５自体の設置に大型のクレーンが必要とされるというのが実状である。
【００１２】
又、上記従来のセッティングビームは、上下方向のジャッキ９の伸縮作動による既設橋桁ブロック１のジョイント部３側端部と、架設対象橋桁ブロック２のジョイント部３側端部との上下方向の相対位置の調整しかできない。そのため、たとえば、上記架設対象橋桁ブロック２を図示しないクレーンにより吊り上げて上記既設橋桁ブロック１と端部同士を突合せるように配置する際、該架設対象橋桁ブロック２のジョイント部３に臨む端面が、該既設橋桁ブロック１のジョイント部３側の端面に対して上下方向の全域に亘り均等な間隔で配置されておらず、架設対象橋桁ブロック２のジョイント部３側端部における上フランジ側の方が下フランジ側よりも上記既設橋桁ブロック１のジョイント部３側端部に近接していて、上フランジ側に圧縮応力が作用するようになる場合や、架設対象橋桁ブロック２のジョイント部３側端部における上フランジ側よりも下フランジ側の方が既設橋桁ブロック１のジョイント部３側端面に近接していて、上フランジ側に引っ張り応力が作用するようになる場合には、上記架設対象橋桁ブロック２の既設橋桁ブロック１に対する橋軸方向の相対位置も調整する必要が生じるが、この既設橋桁ブロック１に対する架設対象橋桁ブロック２の橋軸方向の相対位置の調整を行うためには、上記セッティングビームとは別構造の位置調整手段が必要になる。
【００１３】
更に、上記架設対象橋桁ブロック２の荷重の一部を上記各ブラケット４，６と反力ピン７を介してビーム本体５に伝える際、上記反力ピン７には剪断力が作用するため、剛性確保上、該反力ピン７の径を太くする必要がある。そのために、該反力ピン７を通すためのピン孔４ａ，６ａを備えた各ブラケット４，６のサイズも大きくなることから、架設対象橋桁ブロック２では、上記既設橋桁ブロック１との連結のために後から取り付ける添接板１１と干渉しないように設置する必要上、上記各ブラケット４の設置個所が、ジョイント部３側の端部より遠くなってしまう。したがって、反力点が上記ジョイント部３より遠くなることで、作用力が大きくなってしまっているというのが実状である。しかも、上記架設対象橋桁ブロック２の大荷重による剪断力に耐えるために太径とする反力ピンは、その製作に手間及びコストが嵩んでしまう。
【００１４】
更には、上記各橋桁ブロック１，２の上方におけるビーム本体５が配置される高さ位置は、上記反力ピン７を介して連結するために上記既設橋桁ブロック１と架設対象橋桁ブロック２にそれぞれ設けた各ブラケット４と６の上下方向の寸法と、架台部材８の上下方向寸法で決まってしまうため、調整代が少ないというのが実状である。
【００１５】
そこで、本発明は、既設ブロックと、架設対象ブロックとのジョイント部に臨む端部同士の上下方向の相対位置の調整を行う際に必要とされる剛性を確保しつつ軽量化を図ることができると共に、構成部材に曲げ応力が作用する虞を抑制でき、従来のセッティングビームで用いていた如き大荷重の剪断力に耐えるための反力ピンを用いることなく反力を受けることができて、該従来の反力ピンを用いる場合に比して架設対象ブロックにおけるジョイント部側端部により近い位置を吊ることができるようにして、作用する反力をジョイント部剪断力相当で設計することが可能となり、更に、上記各ブロックの上方に配置する際の高さ位置を容易に調節することができ、更には、上記各ブロック同士の上下方向の相対位置の調整に加えてブロック配列方向に沿う方向の相対位置の調整も行うことができるトラス型セッティングビームを提供しようとするものである。
【課題を解決するための手段】
【００１６】
本発明は、上記課題を解決するために、請求項１に対応して、連結する２つのブロックのうちの一方のブロックの上面における所要個所に、水平面部を備えた架台を設け、且つ上記２つのブロックのうちの他方のブロックの上面におけるジョイント部側端縁部に、上下方向位置調整用ジャッキを備えたジャッキ架台を設け、上記各ブロック配列方向に所要寸法延びる水平材と該水平材の長手方向両端部より長手方向中間部側へ斜め上向きに延びる２つの斜材を備えたトラス構造としてなるビーム本体を、上記２つのブロック間のジョイント部の上方を跨ぐように配置して、該ビーム本体の水平材の長手方向両端部を、上記架台の水平面部と、上記上下方向位置調整用ジャッキにそれぞれ載置し、更に、上記ビーム本体の頂部付近の所要個所と、上記一方のブロックとを、吊り部材を介して上下方向より拘束してなる構成とする。
【００１７】
又、上記構成において、一方のブロックに設けた架台の水平面部よりも反ジョイント部側端部に垂直面部を設け、他方のブロックに設けたジャッキ架台における上下方向位置調整用ジャッキよりも反ジョイント部側に橋軸方向位置調整用ジャッキを設けて、上記架台の水平面部と上記上下方向位置調整用ジャッキにそれぞれ載置するビーム本体の水平材の長手方向両端部を、上記架台の垂直面部と上記ブロック配列方向位置調整用ジャッキに係合させるようにした構成とする。
【００１８】
同様に、上記構成において、他方のブロックに設けたジャッキ架台における上下方向位置調整用ジャッキよりも反ジョイント部側に、ブロック配列方向に沿って引張荷重を作用させる機構を設けて、架台の水平面部に載置したビーム本体の水平材の長手方向一端部を該架台に連結すると共に、上記上下方向位置調整用ジャッキに載置した上記ビーム本体の水平材の長手方向他端部を、上記ブロック配列方向に沿って引張荷重を作用させる機構に連結するようにした構成とする。
【００１９】
上述の各構成において、ビーム本体の頂部付近の所要個所と、一方のブロックとを上下方向より拘束する吊り部材として、ＰＣ鋼棒を用いるようにした構成とする。
【発明の効果】
【００２０】
本発明のトラス型セッティングビームによれば、以下のような優れた効果を発揮する。（１）連結する２つのブロックのうちの一方のブロックの上面における所要個所に、水平面部を備えた架台を設け、且つ上記２つのブロックのうちの他方のブロックの上面におけるジョイント部側端縁部に、上下方向位置調整用ジャッキを備えたジャッキ架台を設け、上記各ブロック配列方向に所要寸法延びる水平材と該水平材の長手方向両端部より長手方向中間部側へ斜め上向きに延びる２つの斜材を備えたトラス構造としてなるビーム本体を、上記２つのブロック間のジョイント部の上方を跨ぐように配置して、該ビーム本体の水平材の長手方向両端部を、上記架台の水平面部と、上記上下方向位置調整用ジャッキにそれぞれ載置し、更に、上記ビーム本体の頂部付近の所要個所と、上記一方のブロックとを、吊り部材を介して上下方向より拘束してなる構成としてあるので、ビーム本体をトラス構造とすることで、上記一方のブロックの荷重の一部を該ビーム本体を介して他方のブロックに設けてある上下方向位置調整用ジャッキに伝えて支持させるために該ビーム本体に必要とされる剛性を確保しつつ、部材の軽量化を図ることができる。  
（２）上記一方のブロックの荷重をビーム本体へ伝える部材となる吊り部材には、引張荷重のみが作用するため、該吊り部材を、従来のセッティングビームで用いていた如き反力ピンに比して細くすることができる。よって、上記吊り部材により上記一方のブロックを支持する位置を、ジョイント部に近い位置とすることができるため、上記ビーム本体に作用する反力を、ジョイント部剪断力相当となるように小さくすることができて、該ビーム本体を、上記ジョイント部剪断力相当を基に設計することが可能になる。又、上下方向位置調整用ジャッキに要求される能力の低減化を図ることができる。  
（３）更に、上記ビーム本体と、上記一方のブロックの上下方向の拘束は、上記吊り部材のみを介して行われているため、ビーム本体の水平材の長手方向両端部を載置するようにしてある上下方向位置調整用ジャッキの上端部の高さ位置や、上記架台の水平面部の高さ位置を変更することで、該ビーム本体を上記ブロック間のジョイント部の上方に配置する際の高さ位置を容易に調節することができる。  
（４）ビーム本体をトラス構造にすることに伴い、該ビーム本体の構成部材である水平材や各斜材には、曲げ方向の応力がほとんど作用しないため、部材軸方向に強度を持たせることができて、上記ビーム本体の水平材に、ブロック配列方向に沿う方向の応力の伝達を行わせることができるようになる。  
（５）したがって、一方のブロックに設けた架台の水平面部よりも反ジョイント部側端部に垂直面部を設け、他方のブロックに設けたジャッキ架台における上下方向位置調整用ジャッキよりも反ジョイント部側に橋軸方向位置調整用ジャッキを設けて、上記架台の水平面部と上記上下方向位置調整用ジャッキにそれぞれ載置するビーム本体の水平材の長手方向両端部を、上記架台の垂直面部と上記ブロック配列方向位置調整用ジャッキに係合させるようにした構成とすることにより、ブロック配列方向位置調整用ジャッキの伸長作動力を、上記ビーム本体の水平材を介して上記一方のブロックに設けてある架台の垂直面へ伝えることで、上記２つのブロック同士を離反させる方向にブロック配列方向の位置調整を行うことができる。  
（６）又、他方のブロックに設けたジャッキ架台における上下方向位置調整用ジャッキよりも反ジョイント部側に、ブロック配列方向に沿って引張荷重を作用させる機構を設けて、架台の水平面部に載置したビーム本体の水平材の長手方向一端部を該架台に連結すると共に、上記上下方向位置調整用ジャッキに載置した上記ビーム本体の水平材の長手方向他端部を、上記ブロック配列方向に沿って引張荷重を作用させる機構に連結するようにした構成とすることにより、ブロック配列方向に沿って引張荷重を作用させる機構で上記ビーム本体の水平材の長手方向他端部に対して引張荷重を作用させることで、上記２つのブロック同士を近接させる方向にブロック配列方向の位置調整を行うことができる。  
（７）ビーム本体の頂部付近の所要個所と、一方のブロックとを上下方向より拘束する吊り部材として、ＰＣ鋼棒を用いるようにした構成とすることにより、上記一方のブロックの荷重を支持するための引張強度を得るために要求される吊り部材の径の寸法をより小さくすることができると共に、軽量化を図ることができ、しかも、該吊り部材の製造を容易なものとすることができる。
【発明を実施するための最良の形態】
【００２１】
以下、本発明を実施するための最良の形態を図面を参照して説明する。
【００２２】
図１は本発明のトラス型セッティングビームの実施の一形態として、図５に示したと同様のブロック一括架設工法における既設ブロックとしての既設橋桁ブロック１と、架設対象ブロックとしての架設対象橋桁ブロック２とのジョイント部３に臨む上記各橋桁ブロック１と２の端部同士の相対位置の調整に適用する場合を示すもので、以下のような構成としてある。
【００２３】
すなわち、本発明のトラス型セッティングビームは、上記各橋桁ブロック１と２のブロック配列方向となる橋軸方向に沿って所要寸法延びる水平材１３と、該水平材１３の長手方向中間部に下端部を取り付けた所要の高さ寸法を有する垂直材１４と、上記水平材１３の長手方向両端部と上記垂直材１４の上端部との間にそれぞれ両端部を連結した斜材１５，１６とから、側面形状が略三角形状となるトラス構造のビーム本体１２としてある。
【００２４】
更に、上記ビーム本体１２を、既設橋桁ブロック１と架設対象橋桁ブロック２のジョイント部３よりも所要寸法上方に位置させて、その頂部が、上記架設対象橋桁ブロック２のジョイント部３側端部寄り所要個所の直上に位置し、且つ該ビーム本体１２の水平材１３の長手方向一端部１３ａが、上記ジョイント部３を跨いで既設橋桁ブロック１のジョイント部３側端縁部の直上に位置するような配置として、橋幅方向に所要間隔で複数配置するようにする。
【００２５】
上記各ビーム本体１２の水平材１３の長手方向他端部１３ｂが位置する架設対象橋桁ブロック２の上面には、所要の高さ位置に配した水平面部１７ａを備え、更に、該水平面部１７ａの反ジョイント部３側の端部より所要寸法上方へ延びる垂直面部１７ｂを備えた側面形状略Ｌ字型の架台１７をそれぞれ設けて、上記各ビーム本体１２の水平材１３の長手方向他端部１３ｂを、上記各架台１７における水平面部１７ａと垂直面部１７ｂとの間の角部に配置した状態で、該各架台１７の水平面部１７ａの上側に載置させるようにする。
【００２６】
一方、上記各ビーム本体１２の水平材１３の長手方向一端部１３ａが位置する上記既設橋桁ブロック１の上面には、ジャッキ架台１９をそれぞれ設けて、該各ジャッキ架台１９上に、上下方向に作動する上下方向位置調整用ジャッキ１８をそれぞれ取り付け、上記各ビーム本体１２の水平材１３の長手方向一端部１３ａを、上記各上下方向位置調整用ジャッキ１８の上側に載置させるようにする。更に、上記各ジャッキ架台１９の反ジョイント部３側の端部には、上方へ所要寸法突出して上記各ビーム本体１２の水平材１３の長手方向一端部１３ａの端面と所要の間隔を隔てて対峙する支持部１９ａをそれぞれ設けて、該各支持部１９ａのジョイント部３側面に、橋軸方向に沿って作動する橋軸方向位置調整用ジャッキ２０をそれぞれ取り付け、該各橋軸方向位置調整用ジャッキ２０の先端部を、対応する上記各ビーム本体１２の水平材１３の長手方向一端部１３ａの端面に近接配置させるようにする。これにより、上記各橋軸方向位置調整用ジャッキ２０を伸長作動させると、該各ジャッキ２０の先端部が上記各ビーム本体１２の水平材１３の長手方向一端部１３ａの端面に接して、該各水平材１３を、橋軸方向に沿って架設対象橋桁ブロック２側へ押すことができるようにしてあり、この橋軸方向に沿って押される各水平材１３の長手方向他端部１３ｂの端面が、上記架設対象橋桁ブロック２上の各架台１７の垂直面部１７ｂに接することで、上記各橋軸方向位置調整用ジャッキ２０の伸長作動力が、上記各ビーム本体１２の水平材１３と上記各架台１７を介して架設対象橋桁ブロック２に伝えられるようになり、該架設対象橋桁ブロック２における上面側のフランジ部２ａに対して、既設橋桁ブロック１より橋軸方向に沿って離反させる方向に力を作用させることができるようにしてある。
【００２７】
更に、上記各ビーム本体１２の頂部と、その下方に位置する上記架設対象橋桁ブロック２のジョイント部３側端部寄りの所要個所とを、上下方向に延びる吊り部材としてのＰＣ鋼棒２１を介してそれぞれ連結し、本発明のトラス型セッティングビームを構成する。
【００２８】
詳述すると、図２に示す如く、上記ビーム本体１２の頂部となる上記垂直材１４の上端部における各斜材１５，１６の取付方向と直交する方向となる両側面に、上記ＰＣ鋼棒２１の上端部を挿通させるための貫通孔２２ａを備えた荷重受けプレート２２が水平方向に突出させて設けてある。更に、上記両側面に突出させて設けてある荷重受けプレート２２の下面と、上記垂直材１４の両側面に、リブ材２３を設けて、上記荷重受けプレート２２を、下向きに作用する大きな荷重に耐え得るよう補強するようにしてある。
【００２９】
又、上記架設対象橋桁ブロック２の上面側のフランジ部２ａにおけるジョイント部３側端部寄りの位置で、且つ上記ビーム本体１２の垂直材１４の両側面に設けた各荷重受けプレート２２の貫通孔２２ａの真下となる位置には、ＰＣ鋼棒２１の長手方向中間部を挿通させるための貫通孔２４をそれぞれ穿設する。上記各貫通孔２４の所要寸法下方となる位置には、上記ＰＣ鋼棒２１の下端部を挿通させるための貫通孔２５ａを備えた荷重伝達プレート２５をそれぞれ水平に配置して、該各荷重伝達プレート２５を、上記架設対象橋桁ブロック２のウェブ部２ｂの側面に一体に取り付ける。更に、上記各荷重伝達プレート２５の上面と、上記架設対象橋桁ブロック２のウェブ部２ｂの側面に、リブ材２６を設けて、上記各荷重伝達プレート２５を、上向きに作用する大きな荷重に耐え得るよう補強するようにしてある。
【００３０】
上記ＰＣ鋼棒２１には、少なくとも上下両端寄り部分に図示しないねじ部が設けてある。これにより、上記各ビーム本体１２の各荷重受けプレート２２の貫通孔２２ａと、その真下に位置する架設対象橋桁ブロック２の上面側のフランジ部２ａ設けた貫通孔２４、及び、該架設対象橋桁ブロック２のウェブ部２ｂに一体に取り付けてある荷重伝達プレート２５の貫通孔２５ａに、上下方向に延びるＰＣ鋼棒２１を挿通させた状態にて、該ＰＣ鋼棒２１の上端側の図示しないねじ部に螺着させた上部ナット２７を、上記荷重受けプレート２２の上面に接する位置まで締め込むと共に、上記ＰＣ鋼棒２１の下端側の図示しないねじ部に螺着させた下部ナット２８を、上記荷重伝達プレート２５の下面に接する位置まで締め込むことで、上記架設対象橋桁ブロック２の荷重を、荷重伝達プレート２５、下部ナット２８、ＰＣ鋼棒２１、上部ナット２７、荷重受けプレート２２を順に介して上記各ビーム本体１２の頂部となる垂直材１４の上端部へ伝えることができるようにしてある。
【００３１】
なお、上記のようにして架設対象橋桁ブロック２の荷重を各ビーム本体１２側へ伝える際、上記ＰＣ鋼棒２１には大きな引張応力が作用する。このことに鑑みて、吊り部材として上記ＰＣ鋼棒２１を用いる構成としてあることにより、上記架設対象橋桁ブロック２の荷重を支持するための引張強度を得るために要求されるＰＣ鋼棒２１の径寸法を小さくすることができると共に、軽量化を図ることが可能となる。又、吊り部材の製造を容易なものとすることができる。
【００３２】
その他、図１及び図２において、図５に示したものと同一のものには同一符号が付してある。
【００３３】
以上の構成としてある本発明のトラス型セッティングビームを使用する場合は、既設橋桁ブロック１の所定個所に、予め、上下方向位置調整用ジャッキ１８と橋軸方向位置調整用ジャッキ２０を、ジャッキ架台１９を介して設けておく。
【００３４】
更に、架設対象橋桁ブロック２に、予め、架台１７と上面側フランジ部２ａの貫通孔２４と荷重伝達プレート２５をそれぞれ所定の配置で設け、上記各架台１７の水平面部１７ａの上側に、個別のビーム本体１２の水平材１３の長手方向他端部１３ｂをそれぞれ載置して、図示しない連結手段を介して仮固定する。なお、この際、上記各ビーム本体１２は、水平材１３の長手方向の中間部付近を、上記架設対象橋桁ブロック２上に配した図示しない置き台上に載置して支持させるようにしておく。更に、上記各ビーム本体１２の各荷重受けプレート２２の貫通孔２２ａと、架設対象橋桁ブロック２の上面側のフランジ部２ａに設けた貫通孔２４、及び、該架設対象橋桁ブロック２のウェブ部２ｂに取り付けた荷重伝達プレート２５の貫通孔２５ａに挿通させたＰＣ鋼棒２１の上下両端部の図示しないねじ部に、上部ナット２７と下部ナット２８を螺着させて、それぞれ上記荷重受けプレート２２の上面と、上記荷重伝達プレート２５の下面に接する位置まで締め込むようにしておく。
【００３５】
その後、橋梁建設現場にて、上記各ビーム本体１２が予め取り付けてある架設対象橋桁ブロック２を、図示しないクレーンで吊り上げて、該架設対象橋桁ブロック２のジョイント部３側端部を、上記既設橋桁ブロック１のジョイント部３側端部に突合せるように近接配置し、この状態にて、上記既設橋桁ブロック１のジョイント部３側端縁部に設けてある各上下方向位置調整用ジャッキ１８の上側に、上記各ビーム本体１２の水平材１３の長手方向一端部１３ａをそれぞれ載置して、上記架設対象ブロック２の荷重の一部が、上記各ＰＣ鋼棒２１と各ビーム本体１２を経て該各上下方向位置調整用ジャッキ１８に受けられるようにすることで、本発明のトラス型セッティングビームを構成するようにする。
【００３６】
なお、上記各ビーム本体１２の水平材１３の長手方向一端部１３ａが上記各上下方向位置調整用ジャッキ１８の上側に受けられるようになると、上記架設対象橋桁ブロック２上にて各ビーム本体１２を支持していた上記図示しない置き台には、上記各ビーム本体１２からの荷重が作用しなくなるため、この荷重が作用しなくなった時点で上記図示しない置き台を撤去するようにすればよい。
【００３７】
上記のようにして既設橋桁ブロック１と架設対象橋桁ブロック２との間のジョイント部３に対応させて本発明のトラス型セッティングビームを配設した状態にて、上記上下方向位置調整用ジャッキ１８を伸長作動させると、該ジャッキ１８の上側に載置してある上記ビーム本体１２の水平材１３の長手方向一端部１３ａが、既設橋桁ブロック１に対して相対的に上方へ変位されることで、該ビーム本体１２に上記ＰＣ鋼棒２１を介し連結してある上記架設対象橋桁ブロック２のジョイント部３側端部の位置が、上記既設橋桁ブロック１におけるジョイント部３側端部に対して相対的に上方へ変位するようになる。
【００３８】
一方、上記上下方向位置調整用ジャッキ１８を収縮作動させると、上記とは逆に、ビーム本体１２の水平材１３の長手方向一端部１３ａが、既設橋桁ブロック１に対して相対的に下方へ変位されることで、該ビーム本体１２に上記ＰＣ鋼棒２１を介して連結してある上記架設対象橋桁ブロック２のジョイント部３側端部の位置が、上記既設橋桁ブロック１におけるジョイント部３側端部に対して相対的に下方へ変位するようになる。
【００３９】
したがって、上記上下方向位置調整用ジャッキ１８の伸縮作動により、上記既設橋桁ブロック１と、架設対象橋桁ブロック２のジョイント部３に臨む端部同士の相対的な上下方向位置を調整することができるようになる。
【００４０】
更に、上記橋軸方向位置調整用ジャッキ２０を伸長作動させると、該伸長作動力が、上記各ビーム本体１２の水平材１３を介して架設対象橋桁ブロック２上の各架台１７に伝えられることで、該架設対象橋桁ブロック２における上面側のフランジ部２ａに対して、既設橋桁ブロック１より橋軸方向に沿って離反させる方向の力が作用するようになるため、上記架設対象橋桁ブロック２の上面側のフランジ部２ａ側が、既設橋桁ブロック１より離反する方向に相対的に変位されるようになる。
【００４１】
このため、上記架設対象橋桁ブロック２を図示しないクレーンにより吊り上げて該架設対象橋桁ブロック２のジョイント部３側端部を、上記既設橋桁ブロック１のジョイント部３側端部に突合せるように近接配置した際、上記架設対象橋桁ブロック２のジョイント部３側端部における上フランジ側の方が下フランジ側よりも上記既設橋桁ブロック１のジョイント部３側端部に近接していて、上フランジ側に圧縮応力が作用するような場合は、上記橋軸方向位置調整用ジャッキ２０を伸長作動させることで、上記架設対象橋桁ブロック２の上フランジ側を、既設橋桁ブロック１より離反する方向に変位させて橋軸方向に沿う位置調整を行うことができて、上記上フランジ側に作用している圧縮応力を軽減させることができるようになる。
【００４２】
上記のようにして既設橋桁ブロック１のジョイント部３側端部に対する架設対象橋桁ブロック２のジョイント部３側端部の上下方向及び橋軸方向に沿う方向の位置調整を行った後は、上記各橋桁ブロック１と２のジョイント部３を、図１に二点鎖線で示す如き高力ボルト接合する添接板１１を介して連結するようにすればよい。
【００４３】
このように、本発明のトラス型セッティングビームによれば、ビーム本体１２をトラス構造とすることで、上記架設対象橋桁ブロック２の荷重の一部を該ビーム本体１２を介して既設橋桁ブロック１側に設けてある上下方向位置調整用ジャッキ１８に伝えて支持させるために必要な剛性を確保しつつ、部材の軽量化を図ることができる。
【００４４】
更に、上記ビーム本体１２をトラス構造にすることで、該ビーム本体１２の構成部材である水平材１３、垂直材１４及び各斜材１５，１６には、曲げ方向の応力がほとんど作用しないため、該各部材１３，１４，１５，１６を部材軸方向に強度を持たせることができる。よって、上記ビーム本体１２の水平材１３に橋軸方向に沿う圧縮応力の伝達を行わせることができるようになることから、橋軸方向位置調整用ジャッキ２０の伸長作動力を該水平材１３を介して架設対象橋桁ブロック２へ伝えることで、既設橋桁ブロック１に対する該架設対象橋桁ブロック２の橋軸方向の位置の調整も行うことができる。
【００４５】
又、上記本発明のトラス型セッティングビームでは、架設対象橋桁ブロック２の荷重の一部をビーム本体１２へ伝える部材として、引張荷重のみが作用するＰＣ鋼棒２１を用いていることから、該ＰＣ鋼棒２１を従来のセッティングビームで用いていた如き反力ピンに比して細くすることができる。よって、上記各ＰＣ鋼棒２１により架設対象橋桁ブロック２を吊る位置を、該架設対象橋桁ブロック２におけるジョイント部３に近い位置とすることができるため、該ＰＣ鋼棒２１を介して上記架設対象橋桁ブロック２の荷重の一部を支持させる上記ビーム本体１２に作用する反力を、ジョイント部３剪断力相当となるよう小さくすることができて、該ビーム本体１２を、上記ジョイント部剪断力相当を基に設計することが可能になる。又、上下方向位置調整用ジャッキ２０に要求される能力の低減化を図ることができる。
【００４６】
更には、上記ビーム本体１２と、上記架設対象橋桁ブロック２との上下方向の拘束は、上記ＰＣ鋼棒２１のみを介して行われているため、ビーム本体１２の水平材１３の長手方向両端部を載置するようにしてある上下方向位置調整用ジャッキ１８の上端部の高さ位置や、架台１７の水平面部１７ａの高さ位置を適宜変更することで、該ビーム本体１２を上記各橋桁ブロック１と２との間のジョイント部３の上方に配置する際の高さ位置を容易に調節することが可能となる。
【００４７】
次に、図３は本発明の実施の他の形態を示すもので、図１及び図２に示したと同様の構成において、既設橋桁ブロック１のジョイント部３側端縁部の上面に設けた各ジャッキ架台１９の支持部１９ａにおけるジョイント部３側面に、橋軸方向位置調整用ジャッキ２０をそれぞれ取り付けて、該各ジャッキ２０の先端部を、上下方向位置調整用ジャッキ１８の上側に長手方向一端部１３ａを載置したビーム本体１２の水平材１３の長手方向一端部１３ａの端面に近接配置させる構成に代えて、上記各ジャッキ架台１９の支持部１９ａと、上記各ビーム本体１２の水平材１３の長手方向一端部１３ａとの間に、該水平材１３の長手方向一端部１３ａに引張荷重を作用させるための機構を設け、更に、上記水平材１３の長手方向他端部１３ｂを図示しない連結手段により架設対象橋桁ブロック２上の架台１７に連結するようにしたものである。
【００４８】
上記水平材１３の長手方向一端部１３ａに引張荷重を作用させるための機構は、具体的には、たとえば、上記各ビーム本体１２の水平材１３の長手方向一端寄り所要個所における両側面に、該水平材１３の長手方向、すなわち、橋軸方向に沿う貫通孔２９ａを有するブラケット２９を突設すると共に、上記ジャッキ架台１９の支持部１９ａにおける上記各ブラケット２９の貫通孔２９ａと個別に対応する位置にそれぞれ貫通孔３０を穿設する。
【００４９】
更に、上記各ブラケット２９の貫通孔２９ａと、上記ジャッキ架台１９の支持部１９ａに設けた各貫通孔３０に、橋軸方向に沿って延び且つ少なくとも長手方向両端寄り部分に図示しないねじ部を備えたロッド部材３１を挿通させて配置して、該ロッド部材３１における上記ジャッキ架台１９の支持部１９ａよりも反ジョイント部３側に突出する一端部３１ａの図示しないねじ部と、上記ビーム本体１２の水平材１３のブラケット２９よりもジョイント部３側に突出する他端部３１ｂの図示しないねじ部に、それぞれナット３２，３３を螺着させた構成としてある。
【００５０】
３４は上記ビーム本体１２の水平材１３の両側面に設けたブラケット２９を補強するためのリブ材である。
【００５１】
その他の構成は図１及び図２に示したものと同様であり、同一のものには同一の符号が付してある。
【００５２】
以上の構成としてある本実施の形態のトラス型セッティングビームを使用する場合は、図１及び図２の実施の形態のセッティングビームと同様に、架設対象橋桁ブロック２に設けてある各架台１７に、該架設対象橋桁ブロック２上に図示しない置き台を介し支持させた各ビーム本体１２の水平材１３の長手方向他端部１３ｂを載置して、ボルトやピン、その他所要の図示しない連結手段により予め連結すると共に、上記各ビーム本体１２の各荷重受けプレート２２と、架設対象橋桁ブロック２に設けた各荷重伝達プレート２５とを、ＰＣ鋼棒２１を介してそれぞれ上下方向に連結して拘束しておく。
【００５３】
その後、予め上下方向位置調整用ジャッキ１８がジャッキ架台１９を介して所定個所に設けてある既設橋桁ブロック１のジョイント部３側端部に対し、図示しないクレーンで吊り上げた上記架設対象橋桁ブロック２のジョイント部３側端部を突合せるように近接配置し、この状態にて、上記既設橋桁ブロック１の側に設けてある各上下方向位置調整用ジャッキ１８の上側に、上記架設対象橋桁ブロック２側に取り付けてある上記各ビーム本体１２の水平材１３の長手方向一端部１３ａをそれぞれ載置する。
【００５４】
次いで、上記各ビーム本体１２の各ブラケット２９の貫通孔２９ａと、上記ジャッキ架台１９の支持部１９ａに設けた各貫通孔３０に、個別のロッド部材３１を挿通させてから、該各ロッド部材３１の両端部にそれぞれナット３２，３３を螺着させてそれぞれ上記ジャッキ架台１９の支持部１９ａとブラケット２９に接する位置まで締め込むことで、上記水平材１３の長手方向一端部１３ａに引張荷重を作用させるための機構を形成して、本実施の形態のトラス型セッティングビームを構成するようにする。
【００５５】
上記のようにして構成した本実施の形態のトラス型セッティングビームによれば、上記各上下方向位置調整用ジャッキ１８の伸縮作動により、図１及び図２の実施の形態と同様に、上記既設橋桁ブロック１と、架設対象橋桁ブロック２のジョイント部３に臨む端部同士の相対的な上下方向位置を調整することができるようになる。
【００５６】
更に、上記各ロッド部材３１の長手方向両端部に螺着させてあるナット３２及び３３をそれぞれ締め込むようにすると、該各ロッド部材３１の長手方向両端部がそれぞれ挿通させてある上記各ジャッキ架台１９の支持部１９ａと、各ビーム本体１２の水平材１３に設けてある各ブラケット２９との間に、上記各ロッド部材３１の長手方向、すなわち、橋軸方向に沿って近接させる方向の力が作用するようになるため、上記各ビーム本体１２を介して上記架設対象橋桁ブロック２上に設けてある架台１７を引張ることで、該架設対象橋桁ブロック２の上面側のフランジ部２ａ側が、既設橋桁ブロック１に近接する方向に変位されるようになる。
【００５７】
このため、上記架設対象橋桁ブロック２を図示しないクレーンにより吊り上げて該架設対象橋桁ブロック２のジョイント部３側端部を、上記既設橋桁ブロック１のジョイント部３側端部に突合せるように近接配置した際、上記架設対象橋桁ブロック２のジョイント部３側端部における上フランジ側よりも下フランジ側の方が上記既設橋桁ブロック１のジョイント部３側端部に近接していて、上フランジ側に引張応力が作用するようになる場合は、上記各ロッド部材３１の両端部に螺着させてあるナット３２，３３を締め込むことで、上記架設対象橋桁ブロック２の上フランジ側を、既設橋桁ブロック１に近接させる方向に変位させて橋軸方向に沿う位置調整を行うことができるため、上記上フランジ側に作用している引張応力を軽減させることができるようになる。
【００５８】
次いで、図４（イ）（ロ）（ハ）は本発明の実施の更に他の形態として、上記図１及び図２の実施の形態のトラス型セッティングビームの使用方法の応用例を示すもので、既設橋桁ブロック１と架設対象橋桁ブロック２のジョイント部３における橋幅方向の一側寄りと他側寄りの２個所に、上記トラス型セッティングビームを配設する際、上記橋幅方向の一側寄り個所と、他側寄り個所にそれぞれ設けるトラス型セッティングビームのうち、片方のトラス型セッティングビーム、たとえば、図４（イ）における橋幅方向の右側寄り個所と左側寄り個所にそれぞれ設けるトラス型セッティングビームのうち、左側のトラス型セッティングビームを、図１及び図２に示したものとジョイント部３を対称面として反転させた配置となるようにして上記既設橋桁ブロック１と架設対象橋桁ブロック２の上側に取り付けたものである。
【００５９】
すなわち、図４（イ）における橋幅方向の左側のトラス型セッティングビームは、図４（ハ）に示すように、上記既設橋桁ブロック１の上面における所要個所に、水平面部１７ａとその反ジョイント部３側の垂直面部１７ｂとを備えた架台１７を設け、且つ該既設橋桁ブロック１の上面側のフランジ部１ａにおける所要個所に貫通孔２４を穿設し、更に、上記各貫通孔２４の所要寸法下方となる位置に配置する荷重伝達プレート２５が、該既設橋桁ブロック１のウェブ部１ｂの側面に一体に取り付けてある。
【００６０】
一方、上記架設対象橋桁ブロック２のジョイント部３側端縁部の上側の所要個所に、上下方向位置調整用ジャッキ１８と、橋軸方向位置調整用ジャッキ２０が、ジャッキ架台１９を介して設置してある。
【００６１】
更に、ビーム本体１２の水平材１３の長手方向一端部１３ａを、上記既設橋桁ブロック１側に設けてある架台１７の水平面部の上側に載置すると共に、上記水平材１３の長手方向他端部１３ｂを、上記架設対象橋桁ブロック２側に設けてある上下方向位置調整用ジャッキ１８の上側に載置し、この状態で、上記ビーム本体１２の頂部となる垂直材１４の上端部の両側面に設けてある荷重受けプレート２２と、上記既設橋桁ブロック１に設けてある荷重伝達プレート２５とを、該既設橋桁ブロック１の上面側フランジ部１ａの貫通孔２４に挿通させた上下方向のＰＣ鋼棒２１を介して上下方向から拘束した構成としてある。
【００６２】
図４（イ）における橋幅方向の右側のトラス型セッティングビームは、図４（ロ）に示す如く、図１及び図２に示したトラス型セッティングビームと同様の構成としてある。その他、図１及び図２に示したものと同一のものには同一符号が付してある。
【００６３】
本実施の形態によれば、図４（ハ）に示したトラス型セッティングビームにて、上下方向位置調整用ジャッキ１８を伸長作動させると、上記既設橋桁ブロック１に対してＰＣ鋼棒２１を介して上下方向に離反する方向の相対変位が拘束されている上記ビーム本体１２が、該上下方向位置調整用ジャッキ１８により相対的に押し上げられることで、上記既設橋桁ブロック１のジョイント部３側端部に対し、上記架設対象橋桁ブロック２のジョイント部３側端部が、相対的に下方へ変位させられるようになる。
【００６４】
一方、図４（ロ）に示したトラス型セッティングビームでは、図１及び図２で説明したように、上下方向位置調整用ジャッキ１８の伸長作動に伴い、上記既設橋桁ブロック１のジョイント部３側端部に対して、上記架設対象橋桁ブロック２のジョイント部３側端部が、相対的に上方へ変位させられるようになる。
【００６５】
したがって、上記橋幅方向の両側に設けてある各トラス型セッティングビームにて、それぞれの上下方向位置調整用ジャッキ１８を伸長作動させると、上記架設対象橋桁ブロック２のジョイント部３側端部を、既設橋桁ブロック１のジョイント部３側端部に対して、図４（イ）における橋幅方向の右側では上方へ、左側では下方へ変位させることができるようになるため、該架設対象橋桁ブロック２のジョイント部３側端部を、捩じるように位置調整することが可能になる。
【００６６】
なお、本発明は上記実施の形態のみに限定されるものではなく、ビーム本体１２は、側面形状がほぼ二等辺三角形状となるものとして示したが、水平材１３の長手方向中間部における垂直材１４の取付位置を、水平材１３の長手方向に多少ずらすことで、ビーム本体１２の側面形状を、頂部が水平材１３の長手方向の一方に片寄った形状の三角形状となるようにしてもよい。又、上記ビーム本体１２は、水平材１３と垂直材１４と各斜材１５，１６にそれぞれ対応する部分を備えていれば、一体物として製作するようにしてもよい。更には、水平材１３と２つの斜材１５及び１６で強固なトラス構造のビーム本体１２を構築できれば、垂直材１４は省略してもよい。
【００６７】
ビーム本体１２と架設対象橋桁ブロック２を、ＰＣ鋼棒２１を介して上下方向から拘束できるようにしてあれば、ビーム本体１２側に設ける荷重受けプレート２２や、架設対象橋桁ブロック２側に設ける荷重伝達プレート２５の配置を適宜変更してもよく、又、架設対象橋桁ブロック２よりＰＣ鋼棒２１を介して上記ビーム本体１２へ伝える荷重の大小に応じて、ＰＣ鋼棒２１の本数を適宜増減させるようにしてもよい。
【００６８】
図３の実施の形態におけるビーム本体１２の水平材１３の長手方向一端部１３ａに対して引張荷重を作用させるための機構は、ビーム本体１２の水平材１３の長手方向一端部１３ａに対して反ジョイント部３側へ引張る方向の荷重を作用させることができれば、図示した以外の構成としてもよい。
【００６９】
図４（イ）（ロ）（ハ）の実施の形態にて、図４（イ）における橋幅方向の左右に設けるトラス型セッティングビームを入れ替えることで、図４（イ）における橋幅方向の右側を下方へ、左側を上方へ捩じるように位置調整できる構成としてもよい。
【００７０】
ブロック一括架設工法で既設ブロックに対して架設対象ブロックを連結するようにしてあれば、橋桁以外の構造物を構築するための既設ブロックと架設対象ブロックとの相対位置の調整に適用してもよい。更には、ブロック同士を突合せ配置した後、該各ブロック同士を互いに連結するために、各ブロック同士の相対位置の調整が必要とされる場合であれば、ブロック一体架設工法以外の工事に用いてもよい。
【００７１】
その他本発明の要旨を逸脱しない範囲内で種々変更を加え得ることは勿論である。
【図面の簡単な説明】
【００７２】
【図１】本発明のトラス型セッティングビームの実施の一形態を示す概略側面図である。
【図２】図１のＡ−Ａ方向矢視図である。
【図３】本発明の実施の他の形態を示す概略側面図である。
【図４】本発明の実施の更に他の形態を示すもので、（イ）は既設橋桁ブロックと架設対象橋桁ブロック間のジョイント部と対応する鉛直面で切断して既設橋桁ブロック側から見た図、（ロ）は（イ）のＢ−Ｂ方向矢視図、（ハ）は（イ）のＣ−Ｃ方向矢視図である。
【図５】従来用いられているセッティングビームの一例の概略を示す側面図である。
【符号の説明】
【００７３】
１  既設橋桁ブロック（ブロック）
２  架設対象橋桁ブロック（ブロック）
３  ジョイント部
１２  ビーム本体
１３  水平材
１５  斜材
１６  斜材
１７  架台
１７ａ  水平面部
１７ｂ  垂直面部
１８  上下方向位置調整用ジャッキ
２０  橋軸方向位置調整用ジャッキ（ブロック配列方向位置調整用ジャッキ）
２１  ＰＣ鋼棒（吊り部材）
２９  ブラケット（引張荷重を作用させる機構）
２９ａ  貫通孔
３０  貫通孔
３１  ロッド部材（引張荷重を作用させる機構）
３１ａ  一端部
３１ｂ  他端部
３２  ナット（引張荷重を作用させる機構）
３３  ナット（引張荷重を作用させる機構）
【図１】
2010095898.tif 000003
【図２】
2010095898.tif 000004
【図３】
2010095898.tif 000005
【図４】
2010095898.tif 000006
【図５】
2010095898.tif 000007